(57)【要約】      （修正有）【課題】配管に固定する作業を簡易にした、断熱体を配管に巻き付けて固定する配管用保温具を提供する。【解決手段】断熱体１０を配管に巻き付けて固定する配管用保温具１において、断熱体１０が、配管に巻き付けた際に互いに当接する端面１０ｃ，１０ｄをそれぞれ有する一端部１０ａと他端部１０ｂとを有し、一端部１０ａまたは他端部１０ｂのいずれか一方の外面に取り付けられた保護部材２０が、巻き付け後に一端部１０ａと他端部１０ｂとを覆い、一端部１０ａまたは他端部１０ｂの他方の外面に設けられた第１のこはぜ部材３１に、保護部材の、第１のこはぜ部材３１に対向する部分に設けられた第２のこはぜ部材３２をこはぜ掛けする。【選択図】図３
0003159995.tif 000002
【実用新案登録請求の範囲】
【請求項１】
断熱体を保温対象である配管に巻き付けて保温または加熱する配管用保温具において、
前記配管に巻き付けた際に互いに当接する端面をそれぞれ有する一端部と他端部とを有する断熱体と、
前記一端部または他端部のいずれか一方の外面に取り付けられ、前記巻き付け後に前記一端部と他端部とを覆う保護部材と、
前記一端部または他端部の他方の外面に設けられた第１のこはぜ部材と、
前記保護部材の前記第１のこはぜ部材に対向する部分に設けられた第２のこはぜ部材とを備えていることを特徴とする配管用保温具。
【請求項２】
加熱ヒータを備えたことを特徴とする請求項１に記載の配管用保温具。
【考案の詳細な説明】
【技術分野】
【０００１】
本考案は、半導体製造装置、その他の製造装置等に使用される配管用保温具に関する。
【背景技術】
【０００２】
半導体製造装置、化学処理装置およびその他の製造装置においては、処理される気体または液体を保温または加熱するために、配管に断熱体を巻き付けて固定する配管用保温具が使用される。
【０００３】
特許文献１には、断熱材を緊縛用テープによって配管に巻きつけて固定する技術が提案されている。特許文献２には、発熱部層と断熱部層とを面ファスナーによって配管に巻き付けて固定する技術が提案されている。また、これら以外にも、ベルトやバンド等を使用して金属性の締め具で固定する技術が知られている。
【先行技術文献】
【特許文献】
【０００４】
【特許文献１】特開２００４−３０１２１０
【特許文献２】特開２００５−１８８６７７
【考案の概要】
【考案が解決しようとする課題】
【０００５】
しかしながら、この配管用保温具には、施工性において、正確な固定が容易であるともに、メンテナンス等による再固定後の再現性が確保されることが要求される。施工性における配慮が十分になされていない場合、保温ムラあるいは加熱ムラが発生する虞がある。
【０００６】
しかしながら、特許文献１に提案される技術では、正確な固定のためには作業者の熟練を必要とする可能性があり、特許文献２に提案される技術では、面ファスナーによる固定では、固定された状態にばらつきが生じる易く、特に繰り返しの固定によって面ファスナーの固定する力が低下する問題もあり、再現性を確保することが困難となる可能性がある。
【０００７】
本考案の目的は、上記事情に鑑み、優れた施工性を有する配管用保温具を提供するものである。
【課題を解決するための手段】
【０００８】
上記課題を解決するために、本考案の配管用保温具は、断熱体を保温対象である配管に巻き付けて保温または加熱する配管用保温具において、配管に巻き付けた際に互いに当接する端面をそれぞれ有する一端部と他端部とを有する断熱体と、一端部または他端部のいずれか一方の外面に取り付けられ、巻き付け後に一端部と他端部とを覆う保護部材と、一端部または他端部の他方の外面に設けられた第１のこはぜ部材と、保護部材の、第１のこはぜ部材に対向する部分に設けられた第２のこはぜ部材とを備えていることを特徴とする。
【０００９】
ここで、「端部」とは、それぞれの端面から１００ｍｍ程度の範囲内の断熱体の領域を意味するものである。
【００１０】
また、本考案の配管用保温具は、加熱ヒータを備えたものであってもよい。
【考案の効果】
【００１１】
本考案によれば、配管に巻き付けた際に互いに当接する端面をそれぞれ有する一端部と他端部とを有する断熱体と、一端部または他端部のいずれか一方の外面に取り付けられ、巻き付け後に一端部と他端部とを覆う保護部材と、一端部または他端部の他方の外面に設けられた第１のこはぜ部材と、保護部材の第１のこはぜ部材に対向する部分に設けられた第２のこはぜ部材とを備えることにより、保護部材が、互いに当接する一端部と他端部とを覆い、第１のこはぜ部材と第２のこはぜ部材によってこはぜ掛けされて断熱体に固定されるため、配管への正確な固定が容易であるとともに、再現性も確保されて優れた施工性を有する。
【図面の簡単な説明】
【００１２】
【図１】配管用保温具の斜視図（その１）
【図２】配管に固定された配管用保温具の断面図
【図３】配管用保温具の斜視図（その２）
【図４】配管用保温具の部分拡大図
【図５】第２の実施形態の配管用保温具の断面図
【考案を実施するための形態】
【００１３】
以下、本考案の実施の形態について、図面を用いて説明する。本考案の配管用保温具１は、図１および図３に示す通り、略Ｃ型の断熱体１０と、略Ｃ型の断熱体１０の互いに当接する端面１０ｃ、１０ｄからそれぞれ１００ｍｍ程度の範囲内にある端部１０ａ、１０ｂのうち、一方の端部１０ａの外面に縫着して固定されている保護部材２０と備えている。
【００１４】
配管用保温具１は、配管Ｐに断熱体１０を巻き付けて固定する際に、図１に示すように、保護部材２０が、端面１０ｃ、１０ｄが当接した端部１０ａ、１０ｂのそれぞれの外面を覆うように、他方の端部１０ｂに取り付けられる。
【００１５】
本実施形態では、配管用保温具１が、図２に示すように、フランジ部Ｆを有する配管Ｐの接合部分を保温するものとして説明する。
【００１６】
断熱体１０は、図２に示すように、例えば、ガラス繊維等のシート状材料からなるカバー１１と、カバー１１に収容された断熱材１２とから構成される。
【００１７】
断熱材１２は、ガラス繊維や、耐熱樹脂繊維等の周知の断熱材料や、エアロゲルが充填された繊維からなるものであってもよい。
【００１８】
配管用保温具１は、図３および図４に示すように、断熱体１０の端部１０ｂの外面の所定の位置に第１のこはぜ部材３１を備え、保護部材２０の、保護部材２０が端部１０ａ、１０ｂの外面を覆った際に、第１のこはぜ部材３１と対向する位置に第２のこはぜ部材３２を備えている。
【００１９】
配管用保温具１は、端面１０ｃ、１０d同士を当接させた状態で配管Ｐに断熱体１０を巻き付け、保護部材２０で端部１０ａ、１０ｂの外面を覆い、第１のこはぜ部材３１に第２のこはぜ部材３２を所定の位置でこはぜ掛けすることにより、配管Ｐに固定されるものである。
【００２０】
配管用保温具１の第２の実施形態について説明する。第２の実施形態は、配管用保温具１が、配管Ｐを加熱するものである。第２の実施形態において、断熱材１２には、図５に示すような複数の溝が形成され、この溝内に、例えば、ヒータとしてコイル状のニクロム線４０が配置される。そしてニクロム線４０と溝との間に、ペースト状の耐熱表面硬化剤塗布し硬化させて、ニクロム線４０を溝に固定するとともに、ニクロム線４０の周囲に絶縁層を形成する。また、ニクロム線４０は、不図示のリード線によって電源と接続している。なお、第２の実施形態の他の構成は、第１の実施形態の構成と同様であり、詳細な説明は省略する。
【００２１】
以上述べた通り、本考案の実施形態である配管用保温具１は、配管Ｐに巻き付けた際に互いに当接する端面１０ｃ、１０dをそれぞれ有する端部１０ａ、１０ｂを有する断熱体１０と、端部１０ａの外面に取り付けられ、巻き付け後に端部１０ａ、１０ｂを覆う保護部材２０と、端部１０ｂの外面の所定の位置に設けられた第１のこはぜ部材３１と、保護部材２０の第１のこはぜ部材３１に対向する部分に設けられた第２のこはぜ部材３２とを備えることにより、保護部材２０が、端部１０ａ、１０ｂの外面を覆い、第１のこはぜ部材３１と第２のこはぜ部材３２によって、常に所定の位置でこはぜ掛けされて断熱体１０に固定されるため、作業者の熟練を必要とせずに配管Ｐへの正確な固定が容易であるとともに、繰り返しの使用によっても固定する力が低下することもないので再現性も確保されて優れた施工性を有する。
【００２２】
また、第１および第２のこはぜ部材３１、３２は、互いにこはぜ掛けができればよいので、厚みを薄くできるとともに、こはぜ掛けされた際に保護部材２０で覆われて表面に露出しないため、ベルトや、バンド等を使用して金属性の締め具で固定する場合と比較して優れた安全性を有する。
【００２３】
本考案の配管用保温具１は、ヒータであるニクロム線４０を備えることにより、配管Ｐを保温するだけでなく、加熱することもできる。
【００２４】
なお、本実施形態の配管用保温具１は、フランジ部Ｆを有する配管Ｐの接合部を保温または加熱するものとして説明したが、特に限定するものではなく、配管Ｐの中央部を保温または加熱するものであってもよい、その際、断熱体１０には、図に示すような接合部の逃げとなる凹部を形成する必要がなく、断熱体１０の巻き付け面が平坦なものであってもよい。本実施形態の配管用保温具１は、保護部材２０が端部１０ａに固定され、端部１０ｂに第１のこはぜ部材３１を備えるものとして説明したが、保護部材２０が端部１０ｂに固定され、端部１０ａに第１のこはぜ部材３１を備えるものであってもよい。
【符号の説明】
【００２５】
Ｐ              配管
１              配管用保温具
１０            断熱体
１０ａ、１０ｂ  端部
１０ｃ、１０ｄ  端面
２０            保護部材
３１            第１のこはぜ部材
３２            第２のこはぜ部材
４０            ニクロム線
【図１】
0003159995.tif 000003
【図２】
0003159995.tif 000004
【図３】
0003159995.tif 000005
【図４】
0003159995.tif 000006
【図５】
0003159995.tif 000007